(57)【要約】【課題】水中マスクのヘッドバンドに取り付けられたスノーケルの位置をヘッドバンドの長さ方向において調整することが容易なスノーケル保持具の提供。【解決手段】スノーケル保持具１が水中マスク２のヘッドバンド３に取り付けられる第１保持部材１１とスノーケルの導管を取り付け可能な第２保持部材１２とを有する。第１保持部材１１は、これに連結された第２保持部材をヘッドバンド３の長さ方向へ移動させることが可能な案内部１７を有する。第１保持部材１１と第２保持部材１１，１２とには、第２保持部材１２を案内部１７の所要位置に止めておくことが可能なストッパー手段が形成される。【選択図】　　　図１
2004142480.tif 000002
【特許請求の範囲】
【請求項１】
水中マスクに附属するヘッドバンドに取り付け可能な第１保持部材と、スノーケルの導管部を取り付け可能な第２保持部材とを有するスノーケル保持具において、
前記第１保持部材が前記第２保持部材を連結可能に形成されており、連結された前記第２保持部材を前記ヘッドバンドの長さ方向ヘ移動させることが可能な案内部を有し、前記第１保持部材と第２保持部材との間には連結された前記第２保持部材を前記案内部における所要の位置に止めておくことが可能なストッパー手段が形成されていることを特徴とするスノーケル保持具。
【請求項２】
前記案内部は前記ヘッドバンドの長さ方向と幅方向と厚さ方向とに対応する長さ方向と幅方向と深さ方向とを有する溝を含み、前記溝は前記長さ方向における複数の所要部位で前記幅が広く形成される一方、隣り合う前記所要部位と所要部位との間である中間部位で幅が狭く形成され、前記第２保持部材の前記溝への嵌合部位はその幅が前記所要部位の幅にほぼ等しくて前記中間部位の幅よりも大きく形成されていて前記溝と協働して前記ストッパー手段を形成しており、前記嵌合部位が前記中間部位を前記ヘッドバンドの長さ方向へ移動することができるように前記第２保持部材および前記第１保持部材の少なくとも一方が弾性変形可能に形成されている請求項１記載のスノーケル保持具。
【請求項３】
前記案内部が前記長さ方向ヘ延びる蟻溝を含み、前記第２保持部材が前記蟻溝に摺動可能に嵌合する蟻ほぞを含む請求項１または２に記載のスノーケル保持具。
【請求項４】
前記ストッパー手段が前記第１保持部材と第２保持部材との間に弾性的に圧縮された状態で介在する弾性体を含む請求項１〜３のいずれかに記載のスノーケル保持具。
【請求項５】
前記ストッパー手段は、前記第１保持部材に形成されて前記第１保持部材の長さ方向において鋸歯状の山と谷とを繰り返す第１係合部と、前記第２保持部材に形成されて弾性的変形下に前記谷の１つずつに順次離脱可能に嵌合する第２係合部とからなる請求項１〜４のいずれかに記載のスノーケル保持具。
【請求項６】
前記第１保持部材と第２保持部材とは、前記第２保持部材が前記第１保持部材に対して所要の角度範囲内でのみ回動するように規制する回動角度規制手段を有している請求項１〜５のいずれかに記載のスノーケル保持具。
【請求項７】
前記第１保持部材と第２保持部材とが分離可能に連結されている請求項１〜６のいずれかに記載のスノーケル保持具。
【発明の詳細な説明】
【０００１】
【発明の属する技術分野】
この発明は、游泳時に使用するスノーケルを游泳者が着用している水中マスクのヘッドバンドに保持させておくための保持具に関する。
【０００２】
【従来の技術】
従来、スノーケルを水中マスクのヘッドバンドに保持させておくことによって、使用しているスノーケルのヘッドバンドに対する傾きを安定させてスノーケルを使い易くすることはよく知られている。例えば、特許文献１（米国特許第４，９０７，５８２号公報）には、スノーケルをヘッドバンドに取り付けるための回転式クリップ（ｓｗｉｖｅｌ　ｃｌｉｐ　ａｔｔａｃｈｍｅｎｔ）が開示されている。このクリップは、スノーケルの導管に取り付けられる第１部材と、ヘッドバンドに取り付けられる第２部材とからなり、第１部材が第２部材に対して回動可能である。かようなクリップでは、第１部材が取り付けられているスノーケルをその第１部材とともに、ヘッドバンドに対して所要の角度に傾けることができる。つまり、スノーケルは、游泳者にとって使い易い角度で傾き、その角度は簡単に変化することがない。
【０００３】
【特許文献１】
米国特許第４，９０７，５８２号公報
【０００４】
【発明が解決しようとする課題】
しかし、ヘッドバンドに取り付けたスノーケルが前方へ寄り過ぎていたり、後方へ寄り過ぎていたりする場合には、スノーケルのヘッドバンドに対する角度を調整するだけでは、スノーケルを游泳者にとって使い易い状態にできないことがある。前記文献１においてヘッドバンドに取り付けられる第２部材は、ヘッドバンドに対してバンドの長さ方向ヘスライドさせることができるものではあっても、スノーケル使用中にはヘッドバンドに実質的に固定されていなければならないものであるから、この第２部材によってヘッドバンドの長さ方向におけるスノーケルの位置を小さな寸法で調整することは難しい。
【０００５】
この発明は、ヘッドバンドに取り付けられたスノーケルの位置をヘッドバンドの長さ方向において調整することが容易なスノーケル保持具の提供を課題にしている。
【０００６】
【課題を解決するための手段】
前記課題を解決するために、この発明が対象とするのは、水中マスクに附属するヘッドバンドに取り付け可能な第１保持部材と、スノーケルの導管部を取り付け可能な第２保持部材とを有するスノーケル保持具である。
【０００７】
かかるスノーケル保持具において、この発明が特徴とするところは、次のとおりである。　前記第１保持部材が前記第２保持部材を連結可能に形成されており、連結された前記第２保持部材を前記ヘッドバンドの長さ方向ヘ移動させることが可能な案内部を有し、前記第１保持部材と第２保持部材との間には連結された前記第２保持部材を前記案内部における所要の位置に止めておくことが可能なストッパー手段が形成されている。
【０００８】
この発明には、次のような好ましい実施態様がある。
（１）前記案内部は前記ヘッドバンドの長さ方向と幅方向と厚さ方向とに対応する長さ方向と幅方向と深さ方向とを有する溝を含み、前記溝は前記長さ方向における複数の所要部位で前記幅が広く形成される一方、隣り合う前記所要部位と所要部位との間である中間部位で幅が狭く形成され、前記第２保持部材の前記溝への嵌合部位はその幅が前記所要部位の幅にほぼ等しくて前記中間部位の幅よりも大きく形成されていて前記溝と協働して前記ストッパー手段を形成しており、前記嵌合部位が前記中間部位を前記ヘッドバンドの長さ方向へ移動することができるように前記第２保持部材および前記第１保持部材の少なくとも一方が弾性変形可能に形成されている。
（２）前記案内部が前記長さ方向ヘ延びる蟻溝を含み、前記第２保持部材が前記蟻溝に摺動可能に嵌合する蟻ほぞを含む。
（３）前記ストッパー手段が前記第１保持部材と第２保持部材との間に弾性的に圧縮された状態で介在する弾性体を含む。
（４）前記ストッパー手段は、前記第１保持部材に形成されて前記第１保持部材の長さ方向において鋸歯状の山と谷とを繰り返す第１係合部と、前記第２保持部材に形成されて弾性的変形下に前記谷の１つずつに順次離脱可能に嵌合する第２係合部とからなる。
（５）前記第１保持部材と第２保持部材とは、前記第２保持部材が前記第１保持部材に対して所要の角度範囲内でのみ回動するように規制する回動角度規制手段を有している。
（６）前記第１保持部材と第２保持部材とが分離可能に連結されている。
【０００９】
【発明の実施の形態】
添付の図面を参照し、この発明に係るスノーケル保持具の詳細を説明すると、以下のとおりである。
【００１０】
図１は、使用状態にあるスノーケル保持具１を示す図面である。保持具１は、側面形状が示されている水中マスク２のヘッドバンド３に取り付けられており、その保持具１には、仮想線で示されたスノーケル４の通気用導管６が保持されている。図においてヘッドバンド３は水平方向へ延びており、そのヘッドバンド３に対して垂直方向ヘ延びるように取り付けられているスノーケル４は、保持具１を使用して仮想線で示されているように時計方向へ、またはそれとは逆の反時計方向へ傾けることができる。
【００１１】
図２，３，４は、図１における保持具１の正面図と、ＩＩＩ−ＩＩＩ線方向からの側面図と、ＩＶ−ＩＶ線方向からの頂面図とであって、ヘッドバンド３とスノーケル４とが仮想線で示されている。ただし、図２ではヘッドバンド３とスノーケル４の図示が省略されている。保持具１は、ヘッドバンド３に対して取り付けられる第１保持部材１１と、スノーケル４が取り付けられる第２保持部材１２とを有する。第１保持部材１１は、ヘッドバンド３を挿通するための透孔部１６と、第２保持部材１２を回動可能かつヘッドバンド３の長さ方向ヘ移動可能に支える案内部１７とを有する。透孔部１６は、ヘッドバンド３の幅および／または厚さにほぼ等しい幅と高さとを有し、透孔部１６の内壁とヘッドバンド３とがバンド３の幅方向および／または高さ方向から接触することによって、第１保持部材１１がヘッドバンド３に対して摺動可能ではあるが簡単には動くことがないように、換言すると実質的な意味において固定された状態で取り付けられている。案内部１７は、鳩尾形を呈するいわゆる蟻溝１９と、ストッパー２１とを有する。
【００１２】
第２保持部材１２は、環状を呈していてスノーケル４の通気用導管６を取り付け可能なグリップ部２２と、蟻溝１９に嵌合してヘッドバンド３の長さ方向ヘ摺動可能な鳩尾形の蟻ほぞ２３とを有する。グリップ部２２において、通気用導管６は上下にスライドさせてヘッドバンド３に対するスノーケル４の高さ方向の位置を調整することができる。かような第２保持部材１２は、第１保持部材１１に対して回動可能なものであって、その回動の一例は図１に示されているとおりである。第２保持部材１２はまた、第１保持部材１１に対してヘッドバンド３の長さ方向、即ち図２の双頭矢印Ｐ方向ヘ摺動可能なものであって、図２には摺動したときの第２保持部材１２が仮想線で示されている。
【００１３】
図５，６，７は、第１保持部材１１の正面図と、その正面図におけるＶＩ−ＶＩ線方向からの側面図と、その正面図におけるＶＩＩ−ＶＩＩ線断面図であって、図７には、第２保持部材１２が仮想線で示されている。第１保持部材１１の透孔部１６と案内部１７とは、壁２６によって仕切られており、その壁２６の一部分が矢印Ｑ方向ヘ弾性変形可能なストッパー２１を形成している。案内部１７における蟻溝１９は、ヘッドバンド３の長さ方向と幅方向と厚さ方向に対応する長さ方向と幅方向と深さ方向とを有し、図６の上下方向において幅の狭い第１溝部３１と幅の広い第２溝部３２とからなり、さらに第１溝部３１は、図５の左右方向中間部位３３において幅が狭く、中間部位３３を挟む左サイド部３４と右サイド部３６とにおいて幅がやや広く形成されている。図５において、左サイド部３４は左方に向かって開いた状態にあり、右サイド部３６は右方に向かって閉じた状態にある。
【００１４】
図８，９は、第２保持部材１２の頂面図と、その頂面図におけるＩＸ−ＩＸ線切断面を示す図である。ただし、図９では、第２保持部材１２における蟻ほぞ２３の外形と第１保持部材１１における案内部１７とが仮想線で示されている。第２保持部材１２のグリップ部２２は、径方向へ弾性的に変形可能で、その変形によってスノーケル４を握持することができる。蟻ほぞ２３は、グリップ部２２から突出する断面が円形で径の小さい第１ほぞ部４１と、断面が円形で径が第１ほぞ部４１よりも大きい第２ほぞ部４２と、第１ほぞ部４１から径方向外方ヘ突出するストッパー部４３とを有する。第２ほぞ部４２は、その厚さが図８に示されているように左側部で厚く、右側部では次第に薄くなるように変化している。
【００１５】
このように形成されている第１保持部材１１と第２保持部材１２とは、図７に示されているように組み付けられる。即ち、図７の左側に仮想線で示されている第２保持部材１２は、第１ほぞ部４１と第２ほぞ部４２とを第１保持部材１１の第１溝部３１と第２溝部３２とへ進入させる。第２ほぞ部４２が第２溝部３２へ進入するときには、ストッパー２１が矢印Ｑ方向へ弾性変形して第２溝部３２の左端部を大きく開口させ、その進入を可能ならしめる。第２ほぞ部４２の全体が第２溝部３２へ進入すると、ストッパー２１が図示の状態に復帰して第２溝部３２の左端部を殆ど閉じ、第２ほぞ部４２がその左端部から抜け出ることを阻止する。第１溝部３１へ進入した第１ほぞ部４１は、図９に示されているように、第１溝部３１のうちで幅の広い左サイド部３４に納まる。第１ほぞ部４１の幅（径）は第１溝部３１の左サイド部３４と右サイド部３６の幅にほぼ等しく、この左サイド部３４に続く中間部位３３は第１ほぞ部４１よりも幅が狭く、第１ほぞ部４１はそれに強い力を加えて右方へ押し、中間部位３３の幅が広くなるように案内部１７を弾性変形させない限り、中間部位３３へ向かって動くことがない。換言すると、スノーケル４は、第２保持部材１２とともに第１保持部材１１における第１溝部３１の左サイド部３４で実質的に固定されており、簡単には右方へスライドすることがない。ただし、第１ほぞ部４１は、双頭矢印Ｒ方向ヘ回動可能であって、その回動はストッパー部４３が第１溝部３１の頂壁３１ａまたは底壁３１ｂに当接して停止する。かような回動によって、スノーケル４はヘッドバンド３に対する傾きを調整することができる。図９において、第２保持部材１２に力を加えて第１ほぞ部４１を右方へスライドさせると、第１ほぞ部４１は、第１溝部３１の中間部位３３において一時的に停止することが可能であるが、最終的には幅の広い右サイド部３６に納まって再び実質的に固定された状態となる。このときの第１ほぞ部４１は、仮想線で示されており、ストッパー部４３は頂壁３１ａに当接している。このようにしてスノーケル４はヘッドバンド３の長さ方向ヘ移動した後、その位置が再び固定される。保持具１において、第１保持部材１１から第２保持部材１２を外すには、図７においてストッパー２１を矢印Ｑ方向ヘ変形させ、第２ほぞ部４２を矢印Ｓとは反対の方向ヘスライドさせて第２溝部３２から外せばよい。
【００１６】
図１０は、この発明の実施態様の一例を示すもので、図４におけるＸ−Ｘ線断面図に相当している。ただし、図１０の保持具１は、図４のそれと異なり、第２保持部材１２における第１ほぞ部４１に環状の摺動部材５１を嵌めて第１保持部材１１と第２保持部材１２との間に介在させてある。図では断面形状のみが示されている環状の摺動部材５１は、それが両保持部材１１，１２に圧接することによって、第１保持部材１１に対して第２保持部材１２をヘッドバンド３の長さ方向ヘスライドさせるときの抵抗となる。摺動部材５１の厚さや外径の大きさ、材料の選択によってこの部材５１が圧接する強さを調整すると、第１保持部材１１に対して第２保持部材１２を摺動可能かつ任意の位置で実質的に固定することが可能になる。摺動部材５１が圧接する強さは、第２保持部材１２を摺動させるときに、第１保持部材５１がヘッドバンド３に対して摺動することがない程度であることが好ましい。摺動部材５１は、図１の保持具１に適用することが可能であり、また第１保持部材１１における第１溝部３１の頂壁３１ａと底壁３１ｂとに圧接するように形成されていてもよい。図中における線Ｃは、第１，第２ほぞ部４１，４２の中心線である。摺動部材５１は、合成ゴム等からなる弾性体であることが好ましい。
【００１７】
図１１，１２，１３もまたこの発明の実施態様の一例を示すもので、図１１は図１０と同様な断面図であり、図１２は図１１のＸＩＩ−ＸＩＩ線断面図であり、図１３は図１１のＸＩＩＩ−ＸＩＩＩ線断面図である。この保持具１における第１保持部材１１の案内部１７には、ヘッドバンド３（図示せず）の長さ方向へ延びていて鋸歯状の山と谷とからなる二条の起伏部５６が形成されている。また第２保持部材１２における第１ほぞ部４１には、ほぼ環状を成すばね部５８が形成され、このばね部５８が起伏部５６の谷に嵌合可能な突起５９を有している。第２保持部材１２を第１保持部材１１に対してヘッドバンド３（図示せず）の長さ方向へ移動させると、ばね部５８が弾性変形することによってばね部５８の突起５９が横並びになった起伏部５６の谷の一つずつに順次嵌合する。突起５９が谷に嵌合すると、スノーケル４がヘッドバンド３に実質的に固定された状態となる。第２保持部材１２は、ばね部５８において複数の突起５９を同心円上に間欠的に形成しておくことによって、第１保持部材１１に対して回動可能になる。図中における線Ｃは、第１，第２ほぞ部４１，４２の中心線である。
【００１８】
【発明の効果】
この発明に係るスノーケル保持具は、ヘッドバンドに取り付けられる第１保持部材に対してスノーケルが取り付けられる第２保持部材をヘッドバンドの長さ方向ヘ摺動可能に連結したから、スノーケルをヘッドバンドの長さ方向において好みの位置に固定することが容易になる。
【図面の簡単な説明】
【図１】使用状態にある保持具の正面図。
【図２】第２保持部材が回動している保持具の正面図。
【図３】保持具の側面図。
【図４】保持具の頂面図。
【図５】第１保持部材の正面図。
【図６】第１保持部材の側面図。
【図７】第１保持部材の頂面図。
【図８】第２保持部材の頂面図。
【図９】図８のＩＸ−ＩＸ線切断面を示す図。
【図１０】実施態様の一例を示す図。
【図１１】実施態様の一例を示す図１０と同様の図。
【図１２】図１１のＸＩＩ−ＸＩＩ線断面図。
【図１３】図１１のＸＩＩＩ−ＸＩＩＩ線部分断面図。
【符号の説明】
１　　　スノーケル
２　　　水中マスク
３　　　ヘッドバンド
１１　　　第１保持部材
１２　　　第２保持部材
１７　　　案内部
１９　　　蟻溝
２３　　　蟻ほぞ
３３　　　中間部位
３４　　　所要部位（サイド部）
３６　　　所要部位（サイド部）
４３　　　回動角度規制手段（ストッパー）
５１　　　弾性体
５６　　　第１係合部（起伏部）
５９　　　第２係合部（突起）
【図１】
2004142480.tif 000003
【図２】
2004142480.tif 000004
【図３】
2004142480.tif 000005
【図４】
2004142480.tif 000006
【図５】
2004142480.tif 000007
【図６】
2004142480.tif 000008
【図７】
2004142480.tif 000009
【図８】
2004142480.tif 000010
【図９】
2004142480.tif 000011
【図１０】
2004142480.tif 000012
【図１１】
2004142480.tif 000013
【図１２】
2004142480.tif 000014
【図１３】
2004142480.tif 000015